(57)【特許請求の範囲】
【請求項１】
天然ガス濾過器であって、
Ｌ字状の進気パイプ１であって、不純物を含む天然ガスが該進気パイプを経てＬ字状の
進気パイプ１の一部である濾過器へ進入する前記進気パイプ１と、
出気パイプ２であって、濾過済みの天然ガスが該出気パイプ２から輸送され、前記濾過
器から離れる前記出気パイプ２と、
前記進気パイプ１の端部に取外可能に接続される蓋板３と、
天然ガス中の不純物を濾過する濾過ユニット４であって、前記出気パイプ２に取外可能
に接続される濾芯４０を含む前記濾過ユニット４と、
前記濾芯４０に向かって内側から外側へ気体を吹き出して前記濾芯４０の外壁に付着す
る固体不純物を吹き落すとともに、固体不純物を前記進気パイプ１の底部に吹き出す排汚
ユニット５と、を含み、
前記排汚ユニット５は、前記出気パイプ２に連通する第１分岐パイプ５１と、前記進気
パイプ１に連通する第２分岐パイプ５２と、および、前記第１分岐パイプ５１に空気を吹
き込む送風パイプ５３とを含み、前記第２分岐パイプ５２は、前記第１分岐パイプ５１に
套設される、ことを特徴とする天然ガス濾過器。
【請求項２】
前記排汚ユニット５はさらに前記第１分岐パイプ５１を閉塞する第１閉塞部材６１と前記
第２分岐パイプ５２を閉塞する第２閉塞部材６２を含み、前記送風パイプ５３と前記第１
閉塞部材６１とが封止的に嵌合する、ことを特徴とする請求項１に記載の天然ガス濾過器
。
【請求項３】
前記第２閉塞部材６２はさらに前記第２分岐パイプ５２に取外可能に接続される接続部材
６５と前記接続部材６５を封止する封止リング６６を含み、前記封止リング６６が前記接
続部材６５に設けられる、ことを特徴とする請求項２に記載の天然ガス濾過器。
【請求項４】
前記接続部材６５に第１出風口６５１が設けられ、前記封止リング６６に前記第１出風口
６５１に封止的に嵌合する第１閉塞柱６６２が設けられ、前記封止リング６６に前記第１
出風口６５１とずれるように第２出風口６６１が設けられ、前記接続部材６５に前記第２
出風口６６１を閉塞する第２閉塞柱６５２が設けられ、前記封止リング６６に第１磁気部
６６５が設けられ、前記送風パイプ５３に前記第１磁気部６６５と相互作用で前記封止リ
ング６６を上向きに押動する第２磁気部５３５が設けられる、ことを特徴とする請求項３
に記載の天然ガス濾過器。
【請求項５】
前記第１閉塞部材６１は前記第１分岐パイプ５１に封止的に嵌合する延伸パイプ６７１と
、前記延伸パイプ６７１の内壁に封止的に配合するピストン部材６７２と、前記ピストン
部材６７２に相接する弾性部材６７３と、及び前記ピストン部材６７２に相接するホルダ
ー６７４とを含み、前記ホルダー６７４と前記延伸パイプ６７１の端部が相接する、こと
を特徴とする請求項２に記載の天然ガス濾過器。
【請求項６】
前記延伸パイプ６７１の内壁に端面が上から下に傾斜する封止凸台６７５が設けられ、前
記封止凸台６７５に前記ピストン部材６７２に相互に結合する封止層が粘着され、前記延
伸パイプ６７１の内壁に係接凸環６７７が設けられ、前記送風パイプ５３に前記係接凸環
６７７に嵌合する係接凹環５３７が設けられ、前記係接凸環６７７にゴム層が設けられる
、ことを特徴とする請求項５に記載の天然ガス濾過器。
【発明の詳細な説明】
【技術分野】
【０００１】
本発明は、天然ガス濾過の技術領域に属し、特に天然ガス濾過器に属する。
【背景技術】
【０００２】
天然ガスは、新エネルギー燃料である。その主要成分はメタンであり、また少量のエタン
、プロパンやブタンも含む。該燃料は燃焼後に二酸化炭素および水となる。ところで、天
然ガスの中には、少しの固体不純物や水分が含まれるので、ガスの輸送過程において濾過
して、天然ガスの不純物を濾除する必要がある。このようにして、天然ガスの燃焼の効率
を上向きにするとともに、固体不純物が燃焼デバイスに入り込み、詰まりや破損を招くこ
とも避けられる。
【０００３】
濾過手段によって天然ガスを濾過する過程では、大量の固体不純物が濾芯の外壁に溜って
いる。そのため、しばらく使用されたら濾芯を取出して、濾芯を洗浄し、または交換する
必要がある。濾芯を取るために、上部の蓋を開かなければならなく、その操作が複雑で、
時間がかかる。また、濾芯を取り出すときに、まだ外壁上の少量不純物が振動などで濾芯
から出気パイプに落ちる可能性がある。落ちた不純物が以降の再入の天然ガスと伴って調
圧弁等に到達するおそれがあり、部品の損害に繋がるはずである。中国特許（登録番号CN
104289045B）においては、ほこりの遮断装置を設けてほこりを遮断する防塞の天然ガス濾
過器が提案される。それは、防埃効果があるが、実際の使用では、ほこりの小体積軽量の
原因で、取り出す時はまだ大量のほこりが落下し、かつ少量のほこりが出気パイプに積も
って、使用中において下遊の部材を損害するという欠陥が判明している。それがゆえに、
分解際でも有効で確実に防塵する手段が要望されている。
【発明の概要】
【０００４】
本発明の目的は、従来の欠陥を克服するために、構成が簡単で、快速的に除塵可能で、清
潔が便利の天然ガス濾過器を提供することである。
上記の目的を実現するために、本発明は、下記の技術を提案する。
天然ガス濾過器であって、
L字状とされる進気パイプであって、不純物の天然ガスが該進気パイプを経て濾過器へ進
入する前記進気パイプと、
出気パイプであって、濾過済みの天然ガスが該出気パイプから輸送され、前記濾過器から
離れる前記出気パイプと、
前記進気パイプの端部に取外可能に接続される蓋板と、
天然ガス中の不純物を濾過する濾過ユニットであって、前記出気パイプに取外可能に接続
される濾芯を含む前記濾過ユニットと、
前記濾芯に向かって内側から外側へ気体を吹き出して前記濾芯の外壁に付着する固体不純
物を吹き落すとともに、固体不純物を前記進気パイプの底部を経て吹き出す前記排汚ユニ
ットと、を含む。
【０００５】
本発明は、排汚ユニットを設けて濾芯へ空気を送入することにより、濾芯の外壁に貼付け
る固体不純物を風力により上浮させて、ほとんどの固体不純物を進気パイプの底部に落下
させる。該動作によって、濾芯の外壁上の固体不純物が有効的に吹出されるので、濾孔の
無阻害を保証する。これによって、濾芯を取出して清潔する時間を延長して、清潔の必要
工程も減略化させるとともに、濾芯の天然ガスに対する濾過効果も向上させることができ
る。一方、固体不純物を進気パイプの底部から抽出することにより、有効的に進気パイプ
の底部に集まった固体不純物を吸出して、進気パイプの底部を清潔に保持することができ
る。これによって、外蓋を外すことなく、天然ガス濾過器全体の内部を有効的に清潔する
ことができる。清潔の手段が簡単で、人力で清潔する必要がなく、天然ガス濾過器全体の
内部環境の清潔度を向上する。
【０００６】
さらに、前記排汚ユニットは、前記出気パイプに連通する第1分岐パイプと、前記進気パ
イプに連通する第2分岐パイプと、および、前記第1分岐パイプに空気を吹き込む送風パイ
プとを含む。前記第2分岐パイプは、前記第1分岐パイプに套設される。送風パイプを設け
て前記第1分岐パイプ内に空気を送入することにより、対流および反発の効果を達成し、
濾芯上の不純物をきつく洗浄する。これによって、濾芯全体の使用周期を延長することが
できる。第2分岐パイプを第1分岐パイプに套設することにより、第1分岐パイプの一部を
前記出気パイプの下部において貫通させることができるだけでなく、1つの部材で第1およ
び第2分岐パイプを塞ぐことができるようになり、操作が便利である。
【０００７】
さらに、前記排汚ユニットはさらに前記第1分岐パイプを閉塞する第1閉塞部材と前記第2
分岐パイプを閉塞する第2閉塞部材を含み、前記送風パイプと前記第1閉塞部材とが封止的
に嵌合する。第1および第2閉塞部材を設けて第1および第2分岐パイプを有効的に閉塞する
ことにより、第1および第2閉塞部材の閉塞効果を上向きにし、天然ガスの無リークを保証
することができ、安全性が高くなる。
【０００８】
さらに、前記第2閉塞部材はさらに前記第2分岐パイプに取外可能に接続される接続部材と
前記接続部材を封止する封止リングを含み、前記封止リングが前記接続部材に設けられる
。接続部材を設けることにより、第1閉塞部材全体を前記第2分岐パイプに相接することが
できる。該接続方式は、簡単で、かつ着脱自在である。そして封止リングを設けて前記接
続部材を封止することにより、有効的に接続部材を閉塞し、接続部材全体の封止性を保証
することができる。気流を外側に吹出す時に、封止リングを上向きに持ち上げば、気体を
接続部材から排出することができる。
【０００９】
さらに、前記接続部材に第1出風口が設けられ、前記封止リングに前記第1出風口に封止的
に嵌合する第1閉塞柱が設けられる。前記封止リングに前記第1出風口とずれるように第2
出風口が設けられる。前記接続部材に前記第2出風口を閉塞する第2閉塞柱が設けられる。
第1および第2出風口を設けることにより気体を接続部材から排出することができる。これ
によって、不純物を前記第1および第2出風口から排出させることができ、濾過器全体の内
部の清潔性を保証する。第1および第2閉塞柱を設けてそれぞれ第1および第2出風口を閉塞
することにより、接続部材全体の下部を封止することができる。該封止は、効果が良好で
、接続部材全体の第2分岐パイプに対する封止性を確保することができ、天然ガスが第2分
岐パイプから排出することを避ける。
【００１０】
さらに、前記封止リングに第1磁気部が設けられ、前記送風パイプに前記第1磁気部と相互
作用で前記封止リングを上向きに押動する第2磁気部が設けられる。第1および第2磁気部
により、送風パイプが延伸パイプに挿入すると、第2磁気部と第1磁気部が接続されるよう
になる。それに連動して前記封止リングが上向きに移動して、第1および第2出風口を開い
て不純物を第1および第2出風口から排出する。これにより、自動的に第1および第2出風口
を開くことができる。
【００１１】
さらに、前記第1閉塞部材は前記第1分岐パイプに封止的に嵌合する延伸パイプと、前記延
伸パイプ内壁に封止的に配合するピストン部材と、前記ピストン部材に相接する弾性部材
と、及び前記ピストン部材に相接するホルダーとを含む。前記ホルダーと前記延伸パイプ
端部が相接する。ピストン部材を設けることにより有効的に前記延伸パイプを塞ぐことが
できる。それによって天然ガスが出気パイプに進入すると、天然ガが前記第1分岐パイプ
から排出するのを避ける。また、弾性部材を設置することによりピストン部材が有効的に
分岐パイプにおいて無風の場合で自動的に前記延伸パイプを塞ぐことができる。
【００１２】
さらに、前記延伸パイプの内壁に端面が上から下に傾斜する封止凸台が設けられ、前記封
止凸台に前記ピストン部材に相互に結合する封止層が粘着される。封止凸台を設けること
により、ピストン部材を支持することができる。封止層を設置することによりピストン部
材と封止層の間の封止性能を向上する。
【００１３】
さらに、前記延伸パイプの内壁に係接凸環が設けられ、前記送風パイプに前記係接凸環に
嵌合する係接凹環が設けられ、前記係接凸環にゴム層が設けられる。係接凸環を設けて係
接凹環と相互に嵌合することにより、送風パイプを固定することができ、送風パイプが落
下しないように確保できる。ゴム層を設けることにより送風パイプと係接凸環との間の封
止性を向上することができる。それによって送風パイプの気体をすべて濾芯に吹き込んで
反発させることができる。
【００１４】
さらに、前記出気パイプの内壁に第1螺旋凹溝が設けられ、前記進気パイプの内部に第2螺
旋凹溝が設けられる。第1および第2螺旋凹部を設置することにより、気体が前記出気パイ
プと進気パイプを出入する時に旋風を生じる。この旋風によって有効的に気パイプの内壁
を出入する不純物を吹き動くことができ、パイプの内壁上の清潔性を向上することができ
る。
【００１５】
以上のように、本発明は、排汚ユニットを設けて濾芯へ空気を送入することにより、濾芯
の外壁に貼付ける固体不純物を風力により上浮させて、ほとんどの固体不純物を進気パイ
プの底部に落下させる。該動作によって、濾芯の外壁上の固体不純物が有効的に吹出され
るので、濾孔の無阻害を保証する。これによって、濾芯を取出して清潔する時間を延長し
て、清潔の必要工程も減略化させるとともに、濾芯の天然ガスに対する濾過効果も向上さ
せることができる。
【図面の簡単な説明】
【００１６】
【図１】本発明の構成図である。
【図２】本発明の断面図である。
【図３】は本発明の出気パイプの断面図である。
【図４】本発明の局所的な構成図である。
【図５】図４の断面図である。
【図６】本発明の構成図２である。
【図７】本発明の接続部材の構成図である。
【図８】本発明の封止リングの構成図である。
【図９】本発明の送風パイプの構成図である。
【発明を実施するための形態】
【００１７】
本発明の実施形態を当業者がより良く理解するために、以下に本発明の実施形態の図面を
用いて、本発明の実施形態における技術的な態様を明確かつ完全に説明する。
【００１８】
図1〜9に示されるように、天然ガス濾過器は、進気パイプ1、出気パイプ2、蓋板3、濾過
ユニット4及び排汚ユニット5を含む。前記進気パイプ1がL字状にされる金属管材とする。
未濾過の天然ガスが該進気パイプ1から進入する。該進気パイプ1の内壁に第2螺旋凹溝11
が設けられる。前記第2螺旋凹溝11は前記進気パイプ1に形成される螺旋状の凹溝である。
前記出気パイプ3も同じく金属管材とする。該出気パイプ2も同じくL字状にされる金属管
材とする。該出気パイプ2と進気パイプ1の折曲部分は重合する。前記出気パイプ2の内壁
に第1螺旋凹溝21が設けられる。前記第1螺旋凹溝21は前記出気パイプに形成される螺旋状
の凹溝である。前記蓋板3は金属板とする。該蓋板3は前記進気パイプ1の上端部にボルト
により接続される。前記濾過ユニット4は天然ガスにおける不純物を濾過するものである
。該濾過ユニット4は濾芯40を含む。前記濾芯40は市販されている天然ガス濾過器の濾芯
とする。前記の濾芯40は前記出気パイプ2の端部に取外可能に接続される。前記濾芯40は
前記進気パイプ1に位置する。天然ガスが、前記進気パイプ1から進入すると、濾芯40を経
て前記出気パイプ2から排出する。前記進気パイプに第2螺旋凹溝が設けられる。
【００１９】
さらに、前記排汚ユニット5は濾芯40に向かって内から外へ気体を吹出すものであリ、前
記濾芯40の外壁に付着する不純物を吹き落とす。そして気体は前記進気パイプ1の内壁に
沿って外向きに吹出される。前記排汚ユニット5は第1分岐パイプ51、第2分岐パイプ52及
び送風パイプ53を含む。前記第1分岐パイプ51は金属管材とする。該第1分岐パイプ51は前
記出気パイプ2に連通する。前記第1分岐パイプ51は前記進気パイプ1の下部から延出する
。前記第2分岐パイプ52も同じく金属管材とする。該第2分岐パイプ52は前記進気パイプ1
の下部に連通する。前記第2分岐パイプ52の管径が前記第1分岐パイプ51の管径より大径で
ある。前記第2分岐パイプ52は前記第1分岐パイプ51に套設される。即ち、前記第1分岐パ
イプ51と第2分岐パイプ52が同心に設置される。
【００２０】
具体的に、前記排汚ユニット5はさらに第1閉塞部材61と第2閉塞部材62を含む。前記第1閉
塞部材61は前記の第1分岐パイプ51を閉塞するものである。前記第2閉塞部材62は前記第2
分岐パイプ52を閉塞するものである。前記第2閉塞部材62は接続部材65と封止リング66を
含む。前記接続部材65は中部に円形の挿接開口が開設される金属蓋である。また前記挿接
開口の内壁にゴム封止層が備えられる。前記接続部材65と前記第2分岐パイプ52の外壁と
が螺接する。前記封止リング66は中部に円形の開口が備えられる金属リングである。前記
封止リング66は前記接続部材65に掛設される。
【００２１】
さらに、前記接続部材65に複数個の第1出風口651が設けられる。該第1出風口651の内壁は
下から上に傾斜する円形孔である。これによって第1出風口651は上向きに拡大する拡径状
に形成している。前記封止リング66に複数個の第1閉塞柱662が設けられる。前記第1閉塞
柱662は逆円台状とする。前記第1閉塞柱662の外壁に第1封止ゴム層が粘着される。前記第
1封止ゴム層はゴム材層とする。前記第1閉塞柱662は前記第1出風口651に挿入可能である
。前記封止リング66に複数個の第2出風口661が設けられる。該第2出風口661は両端の開口
が中間の開口より大径の円形口とする。該第2出風口661の形状は砂時計のケースの形状に
近似する。前記接続部材65に第2閉塞柱652が設けられる。前記第2閉塞柱652は円台形の金
属柱とする。前記第2閉塞柱652の外壁に第2封止ゴム層が設けられる。該第2封止ゴム層も
同じくゴム材層とする。前記の第2閉塞柱652は前記第2出風口661の内壁に封止的に嵌合す
る。
【００２２】
さらに、前記第1閉塞部材61は延伸パイプ671、ピストン部材672、弾性部材673及びホルダ
ー674を含む。前記延伸パイプ671は金属管材とする。該延伸パイプ671の下端は前記接続
部材65に相接し、かつ該延伸パイプ671の下端部が挿接開口を貫通しており、また前記延
伸パイプ671の外壁が前記挿接開口の内壁に封止的に接続する。前記封止リング66は前記
接続部材65に嵌入する。
【００２３】
具体的に、前記封止リング66に第1磁気部665が設けられる。前記の第1磁気部665は封止リ
ング66の内側に形成される一回りの磁石である。前記送風パイプ53に第2磁気部535が設け
られる。前記第2磁気部535は前記送風パイプ53に設置される一段の磁石である。前記送風
パイプ53が前記延伸パイプ671内に挿入すると、前記第2磁気部535が第1磁気部665を吸着
する。それによって、送風パイプ53の上下移動とともなって、前記封止リング66が同期に
上下移動することができる。前記送風パイプ53に係接凹環537が設けられる。前記延伸パ
イプ671に係接凸環677が設けられる。前記係接凸環677の外壁にゴム層が粘着される。前
記係接凸環677と前記係接凹環537が相互に係接する。
【００２４】
さらに、前記ピストン部材672はゴム製のピストンヘッド681とピストンヘッド681に相接
するピストンロッド682を含む。前記ピストンロッド682は金属ロッドとする。前記弾性部
材673はスプリングとする。該弾性部材673は前記ピストンロッド682に套設される。前記
ホルダー674は金属ホルダとする。該ホルダー674は前記延伸パイプ671の上端に螺接する
。前記ピストンロッド682の一部は前記ホルダー674に挿入する。前記延伸パイプ671の内
壁に封止凸台675が設けられる。前記封止凸台675の内壁は上から下に傾斜するように設置
される。前記封止凸台675に封止層が粘着される。前記封止層はゴム材層とする。前記ピ
ストンヘッド681は前記封止層の内壁に封止的に接触する。
【要約】      （修正有）【課題】構成が簡単で、高速に不純物の濾除が可能で、メンテナンスの際に有効に防埃可能な天然ガス濾過器を提供する。【解決手段】不純物の天然ガスが進気パイプ１を経て濾過器へ進入する前記進気パイプ１と、出気パイプ２であって、濾過済みの天然ガスが該出気パイプ２から輸送され、前記濾過器から離れる前記出気パイプ２と前記進気パイプ１の端部に取外可能に接続される蓋板３と天然ガス中の不純物を濾過する濾過ユニット４であって、前記出気パイプ２に取外可能に接続される濾芯４０を含む前記濾過ユニット４と前記濾芯４０に向かって内側から外側へ気体を吹き出して前記濾芯４０の外壁に付着する固体不純物を吹き落すとともに、固体不純物を前記進気パイプ１の底部を経て吹き出す前記排汚ユニット５とを含む天然ガス濾過器。【選択図】図２【図１】
0006799774.tif 000002
【図２】
0006799774.tif 000003
【図３】
0006799774.tif 000004
【図４】
0006799774.tif 000005
【図５】
0006799774.tif 000006
【図６】
0006799774.tif 000007
【図７】
0006799774.tif 000008
【図８】
0006799774.tif 000009
【図９】
0006799774.tif 000010